(57)【要約】【課題】ライトユニットを備えた場合に路面の前後方向の照射範囲を広くするとともに、部品を配置し易くし、かつ構造を簡素にして外観性を低下させることなくステアリングダンパを設ける。【解決手段】車体側のヘッドパイプ６１に前輪を懸架するフロントフォーク１３を操舵自在に取付け、このフロントフォーク１３の左右を連結するトップブリッジ５４及びボトムブリッジ５６からなるフォークブリッジ５３とヘッドパイプ６１とに前輪側からバーハンドルに伝わる動きを減衰させるステアリングダンパ６３を取付けた車両において、ステアリングダンパ６３を、ヘッドパイプ６１とトップブリッジ５４とに取付けるとともにトップブリッジ５４とボトムブリッジ５６との間のトップブリッジ５４寄りに配置し、トップブリッジ５４とボトムブリッジ５６との間のボトムブリッジ５６寄りにライトユニット６８を配置した。【選択図】図４
2008056033.tif 000002
【特許請求の範囲】
【請求項１】
車体側のヘッドパイプに前輪を懸架するフロントフォークを操舵自在に取付け、このフロントフォークの左右を連結するトップブリッジ及びボトムブリッジからなるフォークブリッジと前記ヘッドパイプとに前輪側からハンドルに伝わる動きを減衰させるステアリングダンパを取付けた車両において、
前記ステアリングダンパは、前記ヘッドパイプと前記トップブリッジとに取付けられるとともに前記トップブリッジと前記ボトムブリッジとの間のトップブリッジ寄りに配置され、前記トップブリッジと前記ボトムブリッジとの間のボトムブリッジ寄りにライトユニットが配置されることを特徴とする車両のステアリングダンパ取付構造。
【請求項２】
前記ステアリングダンパは、シリンダを備える本体と、前記シリンダに移動自在に挿入されたピストンと、このピストンに取付けられたロッドとから構成され、
前記本体の端部が前記ヘッドパイプに取付けられ、前記ロッドの端部が前記トップブリッジに取付けられ、
前記本体に前記シリンダ内に注入されたオイルの通路断面積を調整する調整つまみが上方から操作可能に設けられ、
前記本体を前記トップブリッジに、あるいは、前記ロッドを前記ヘッドパイプに取付けたときに前記本体が当たって誤組付けを防止可能とする突起が前記トップブリッジに設けられていることを特徴とする請求項１記載の車両のステアリングダンパ取付構造。
【請求項３】
前記ロッドの端部をカラーを介して前記トップブリッジに取付けたことを特徴とする請求項１又は請求項２記載の車両のステアリングダンパ取付構造。
【請求項４】
前記ライトユニットの上方で前記ステアリングダンパの前方に競技の識別のための番号が記載されたゼッケンプレートを設けたことを特徴とする請求項１、請求項２又は請求項３記載の車両のステアリングダンパ取付構造。
【請求項５】
前記ステアリングダンパの前記ヘッドパイプへの取付部及び前記トップブリッジへの取付部は、雨水、ダスト等を侵入しにくくするブーツで覆われることを特徴とする請求項１〜請求項４のいずれか１項記載の車両のステアリングダンパ取付構造。
【請求項６】
前記ブーツは、水抜き用の開口を備えることを特徴とする請求項５記載の車両のステアリングダンパ取付構造。
【発明の詳細な説明】
【技術分野】
【０００１】
本発明は、路面から前輪、フロントフォークを介してハンドルに伝わる操舵方向の動きを減衰させる車両のステアリングダンパ取付構造に関するものである。
【背景技術】
【０００２】
従来の車両のステアリングダンパ取付構造として、車体フレーム側のヘッドパイプとフロントフォーク側のボトムブリッジとの間にステアリングダンパとしての筒型ダンパを取付けたものが知られている（例えば、特許文献１参照。）。
【特許文献１】特開２００５−９６７３５公報
【０００３】
特許文献１の図１及び図２を次に説明する。
車両は、車体フレーム６の前端にヘッドパイプ６ｈを備え、このヘッドパイプ６ｈにステアリングステム５を介してフロントフォーク２が操舵自在に取付けられている。
【０００４】
フロントフォーク２は、前輪１を車軸を介して支持する左右のフォークパイプ３，３を、トップブリッジ４ａ及びボトムブリッジ４ｂからなるフォークブリッジ４で連結したものであり、これらのトップブリッジ４ａ及びボトムブリッジ４ｂに上下に延びるようにステアリングステム５が取付けられ、トップブリッジ４ａにハンドル７が取付けられている。
【０００５】
筒型ダンパ１０は、ダンパケース１１と、このダンパケース１１内を摺動するダンパロッド１２とからなり、ダンパケース１１の端部がヘッドパイプ６ｈに取付けられ、ダンパロッド１２の端部がボトムブリッジ４ｂに取付けられている。
【発明の開示】
【発明が解決しようとする課題】
【０００６】
特許文献１では、筒型ダンパ１０は、ヘッドパイプ６ｈとボトムブリッジ４ｂとに取付けられ、トップブリッジ４ａとボトムブリッジ４ｂとの間のボトムブリッジ４ｂ寄りに配置されているため、例えば、フロントフォーク２の上部にヘッドランプ等のライトユニットを配置する場合には、筒型ダンパ１０の上方のスペースに配置することになる。しかし、この位置にライトユニットを配置すると、ライトユニットの光軸位置が高くなるため、車両前方の所定位置を照らす場合に光軸の前下がり角度が大きくなり、路面の前後方向の照射範囲が狭くなる。
【０００７】
また、筒型ダンパ１０の前方にライトユニットを配置することが考えられるが、この場合、筒型ダンパ１０の回動するスペースを確保する必要があり、このスペースを確保するためにライトユニットが車両前方に張り出してしまい、車両前部上部だけが突出した複雑な構造になるから外観性を損なうことが予想される。
【０００８】
本発明の目的は、車両のステアリングダンパ取付構造を改良することで、ライトユニットを備えた場合に路面の前後方向の照射範囲を広くするとともに、部品を配置し易くし、かつ構造を簡素にして外観性を低下させることなくステアリングダンパを設けることにある。
【課題を解決するための手段】
【０００９】
請求項１に係る発明は、車体側のヘッドパイプに前輪を懸架するフロントフォークを操舵自在に取付け、このフロントフォークの左右を連結するトップブリッジ及びボトムブリッジからなるフォークブリッジとヘッドパイプとに前輪側からハンドルに伝わる動きを減衰させるステアリングダンパを取付けた車両において、ステアリングダンパを、ヘッドパイプとトップブリッジとに取付けるとともにトップブリッジとボトムブリッジとの間のトップブリッジ寄りに配置し、トップブリッジとボトムブリッジとの間のボトムブリッジ寄りにライトユニットを配置したことを特徴とする。
【００１０】
作用として、ライトユニットをトップブリッジとボトムブリッジとの間のボトムブリッジ寄りに配置すれば、ライトユニットがフロントフォークの上部のより低い位置に配置されて、ライトユニットで車両前方の所定位置を照らす場合にライトユニットの光軸の前下がり角度が小さくなる。
【００１１】
また、ステアリングダンパを、ヘッドパイプとトップブリッジとに取付けるとともにトップブリッジとボトムブリッジとの間のトップブリッジ寄りに配置すれば、ステアリングダンパの回動に影響を受けずに、トップブリッジとボトムブリッジとの間のボトムブリッジ寄りにライトユニットが配置し易くなり、更に、ステアリングダンパの車両前方にライトユニットが重ならないため、ライトユニットが車両前方へ張り出さず、車体前部上部の構造が簡素になって外観性を低下させることがない。
【００１２】
請求項２に係る発明は、ステアリングダンパを、シリンダを備える本体と、シリンダに移動自在に挿入されたピストンと、このピストンに取付けられたロッドとから構成し、本体の端部をヘッドパイプに取付け、ロッドの端部をトップブリッジに取付け、本体にシリンダ内に注入されたオイルの通路断面積を調整する調整つまみを上方から操作可能に設け、本体をトップブリッジに、あるいは、ロッドをヘッドパイプに取付けたときに本体が当たって誤組付けを防止可能とする突起をトップブリッジに設けたことを特徴とする。
【００１３】
作用として、本体をトップブリッジに、あるいは、ロッドをヘッドパイプに取付けたときに、突起に本体が当たって組付けが出来なくなり、誤組付けが防止される。
従って、常に、本外の端部はヘッドパイプに取付けられ、ロッドの端部はトップブリッジに取付けられるから、シリンダ内に注入されたオイルの通路断面積を調整するために本体に設けられた調整つまみは、常に上方から操作可能である。
【００１４】
請求項３に係る発明は、ロッドの端部をカラーを介してトップブリッジに取付けたことを特徴とする。
作用として、ロッドからトップブリッジに直接に力が作用しにくい。
【００１５】
請求項４に係る発明は、ライトユニットの上方でステアリングダンパの前方に競技の識別のための番号が記載されたゼッケンプレートを設けたことを特徴とする。
作用として、ステアリングダンパがゼッケンプレートで覆われ、飛び石等から保護される。
【００１６】
請求項５に係る発明は、ステアリングダンパのヘッドパイプへの取付部及びトップブリッジへの取付部を、雨水、ダスト等を侵入しにくくするブーツで覆ったことを特徴とする。
作用として、ステアリングダンパのヘッドパイプへの取付部及びトップブリッジへの取付部は揺動部であり、この揺動部に雨水、ダスト等が被りにくくなる。
【００１７】
請求項６に係る発明は、ブーツに、水抜き用の開口を備えることを特徴とする。
作用として、ブーツ内に入り込んだ水は水抜き用の開口から排出される。
【発明の効果】
【００１８】
請求項１に係る発明では、ステアリングダンパを、ヘッドパイプとトップブリッジとに取付けるとともにトップブリッジとボトムブリッジとの間のトップブリッジ寄りに配置し、トップブリッジとボトムブリッジとの間のボトムブリッジ寄りにライトユニットを配置したので、ライトユニットがフロントフォークの前部の低い位置に配置されて、ライトユニットの光軸の前下がり角度を小さくすることができ、路面の前後方向の照射範囲を広くすることができる。
【００１９】
また、ステアリングダンパを、ヘッドパイプとトップブリッジとに取付けるとともにトップブリッジとボトムブリッジとの間のトップブリッジ寄りに配置することで、ステアリングダンパの回動に影響を受けずに、トップブリッジとボトムブリッジとの間のボトムブリッジ寄りにライトユニットを容易に配置することができる。更に、車体前部上部の構造が簡素になって外観性を低下させることがなくステアリングダンパを配置することができる。
【００２０】
請求項２に係る発明では、ステアリングダンパを、シリンダを備える本体と、シリンダに移動自在に挿入されたピストンと、このピストンに取付けられたロッドとから構成し、本体の端部をヘッドパイプに取付け、ロッドの端部をトップブリッジに取付け、本体にシリンダ内に注入されたオイルの通路断面積を調整する調整つまみを上方から操作可能に設け、本体をトップブリッジに、あるいは、ロッドをヘッドパイプに取付けたときに本体が当たって誤組付けを防止可能とする突起をトップブリッジに設けたので、突起によってステアリングダンパの誤組付けを防止することで、本体に設けられた調整つまみを常に上方に向けて操作しやすいようにステアリングダンパを配置することができる。
【００２１】
請求項３に係る発明では、ロッドの端部をカラーを介してトップブリッジに取付けたので、ロッドからトップブリッジに直接に力が作用しないため、トップブリッジに硬度の小さな材料を用いても、トップブリッジの摩耗を抑えることができる。
【００２２】
請求項４に係る発明では、ライトユニットの上方でステアリングダンパの前方に競技の識別のための番号が記載されたゼッケンプレートを設けたので、ゼッケンプレートでステアリングダンパの前方を覆うことでステアリングダンパを飛び石等から保護することができる。
【００２３】
請求項５に係る発明では、ステアリングダンパのヘッドパイプへの取付部及びトップブリッジへの取付部を、雨水、ダスト等を侵入しにくくするブーツで覆ったので、ブーツによって上記の揺動する取付部に雨水、ダスト等が侵入しにくくなり、長期に亘って取付部の揺動を円滑に維持することができる。
【００２４】
請求項６に係る発明では、ブーツに、水抜き用の開口を備えるので、ブーツ内に入り込んだ水は水抜き用の開口から排出され、ブーツ内に水が溜まる心配がない。
【発明を実施するための最良の形態】
【００２５】
本発明を実施するための最良の形態を添付図に基づいて以下に説明する。なお、図面は符号の向きに見るものとする。
図１は本発明に係るステアリングダンパを備えた車両の前部斜視図であり、車両１０は、オフロード用の自動二輪車であり、前輪を下端で支持するとともにバーハンドル１２が上端に取付けられたフロントフォーク１３の上部に、後で詳述するステアリングダンパ（不図示）が取付けられ、このステアリングダンパの前方を覆うように競技用識別番号が記載されたゼッケンプレート１５が配置されている。
【００２６】
図中の２１は車両１０の骨格となる車体フレームであり、この車体フレーム２１の前端に備えるヘッドパイプ（不図示）にフロントフォーク１３が操舵自在に取付けられている。
【００２７】
図中の２３は車体フレーム２１の上部に取付けられた燃料タンク、２４は車体の前部側部を覆うカウル、２５，２６はバーハンドル１２に取付けられたクラッチレバー及び前輪用ブレーキレバー、２７は前輪用ブレーキレバー２６の操作力を前輪側に配置されたブレーキキャリパにブレーキ液圧として伝えるブレーキホース、２８は前輪の上方を覆うフロントフェンダである。
【００２８】
図２は本発明に係る車両の前部を示す説明図であり、フロントフォーク１３は、下端に車軸を介して前輪が取付けられる左右一対のフォークパイプ５１，５２と、これらのフォークパイプ５１，５２の上部を連結するフォークブリッジ５３と、このフォークブリッジ５３を構成するアルミニウム合金製のトップブリッジ５４及びボトムブリッジ５６の各中央部に渡されて取付けられた回転軸としてのステアリングステム５７とからなる。
【００２９】
ステアリングステム５７は、車体フレーム２１（図１参照）の前端に取付けられたヘッドパイプ６１に回転自在に取付けられた部品である。
以上に説明したフロントフォーク１３、バーハンドル１２（図１参照）及びヘッドパイプ６１は、前輪を操舵するステアリング機構５８を構成する部品である。
【００３０】
ヘッドパイプ６１とトップブリッジ５４との間には、路面から前輪を介してフロントフォーク１３及びバーハンドル１２に急に伝わる操舵方向の力を緩和する緩衝装置としてのステアリングダンパ６３がボルト６５，６６で取付けられている。
【００３１】
図３は本発明に係る車両の前部を示す斜視図（図中の矢印（ＦＲＯＮＴ）は車両前方を表す。以下同じ。）であり、ヘッドパイプ６１の前方でステアリングダンパ６３の下方にライトユニット６８を配置したことを示す。
ライトユニット６８は、車両前方の路面を照らす競技用の軽量な照明装置である。
ステアリングダンパ６３は、前方をゼッケンプレート１５で覆われるため、ステアリングダンパ６３に飛び石等が当たるのを防止することができる。
【００３２】
図４は本発明に係る車両の前部を示す側面図であり、ヘッドパイプ６１の前部とトップブリッジ５４の前部とにステアリングダンパ６３を揺動自在に取付けるとともに、トップブリッジ５４とボトムブリッジ５６との間のトップブリッジ５４寄りにステアリングダンパ６３を配置し、ステアリングダンパ６３の下方で、トップブリッジ５４とボトムブリッジ５６との間のボトムブリッジ５６寄りにライトユニット６８を配置し、ゼッケンプレート１５（ここでは断面で示した。）でトップブリッジ５４からボトムブリッジ５６までの前方を覆ったことを示す。
【００３３】
ライトユニット６８は、ゼッケンプレート１５に取付けられるとともに、ゼッケンプレート１５に開けられた窓部１５ａから車両前部に露出している。
ライトユニット６８の光軸（電球の軸に一致している）６８Ａは、水平線７０に対して照射角度αだけ傾いている。
【００３４】
例えば、ライトユニットを更に上方位置、例えば、ステアリングダンパ６３の位置に配置した場合は、ライトユニットで車両から所定距離前方の路面を照射するときに、上記した照射角度αよりも大きな照射角度で路面を照射することになり、路面上の前後方向の照射範囲が狭くなる。これに対して、本実施形態ではライトユニット６８の位置をより低くして照射角度αをより水平に近くすることで、路面上の前後方向の照射範囲を広くすることができる。
【００３５】
ステアリングダンパ６３は、ヘッドパイプ６１に取付けられた端部が、トップブリッジ５４に取付けられた端部よりもヘッドパイプ６１側へ近づけて配置されるため、ヘッドパイプ６１が鉛直方向に対して傾斜しているのに対して、ステアリングダンパ６３はほとんど鉛直に近い状態で取付けられている。従って、ステアリングダンパ６３のヘッドパイプ６１に取付けられた端部は車両前方への張り出し量が少なく、ゼッケンプレート１５を更にヘッドパイプ６１側に寄せて配置することが可能であり、車両前部の小型化を図ることができる。
【００３６】
図５は本発明に係るステアリングダンパの取付構造を示す断面図（一部側面図）であり、トップブリッジ５４に取付けられたステアリングダンパ６３の上部取付部７１は、上部円環部７２と、この上部円環部７２に嵌合された球面滑り軸受７３と、この球面滑り軸受７３を上部円環部７１に固定するスナップリング７４とからなり、球面滑り軸受７３に形成されたボルト挿通孔７６に通されたボルト６５でカラー７７を介してトップブリッジ５４に形成された上部取付部７８に取付けられる。なお、７９は上部取付部７８の端部に形成された取付面、８１はボルト６５をねじ込むために上部取付部７８に形成されためねじ、８２はステアリングダンパ６３の誤組付けを防止するために上部取付部７８の端部下部に形成された突起（詳細は後述する。）である。
【００３７】
球面滑り軸受７３は、凸状の球面の一部が形成された外面８３ａを有する内輪８３と、この内輪８３の外面８３ａに滑り自在に嵌合された凹状の球面の一部が形成された内面８４ａを有する外輪８４とからなり、内輪８３はボルト挿通穴７６を有し、外輪８４は上部円環部７２に嵌合される。
【００３８】
上記した上部取付部７１、ボルト６５の頭部６５ａ及びカラー７７の一部はゴム製の上部ブーツ８６で覆われている。図中の６５ｂは頭部に形成された六角穴、６５ｃは頭部６５ａに形成された大径部である。
【００３９】
上部ブーツ８６は、ボルト６５の大径部６５ｃに嵌められるボルト嵌合部８６ａと、カラー７７に嵌められたカラー嵌合部８６ｂと、排水のための開口部８６ｃとを備え、上部取付部７１を雨水やダスト等から保護するものである。雨水が上部ブーツ８６内に入り込んだ場合には、開口部８６ｃから排出される。
【００４０】
ヘッドパイプ６１に取付けられたステアリングダンパ６３の下部取付部９１は、下部円環部９２と、この下部円環部９２に嵌合された球面滑り軸受９３と、この球面滑り軸受９３を下部円環部９１に固定するスナップリング９４とからなり、球面滑り軸受９３に形成されたボルト挿通孔９６に通されたボルト６６でヘッドパイプ６１に形成された下部取付部９７にカラー９８を介して取付けられる。なお、１０１はボルト６６をねじ込むために下部取付部９７に形成されためねじ、１０２は下部取付部９７に形成された取付面である。
【００４１】
球面滑り軸受９３は、凸状の球面の一部が形成された外面１０３ａを有する内輪１０３と、この内輪１０３の外面１０３ａに滑り自在に嵌合された凹状の球面の一部が形成された内面１０４ａを有する外輪１０４とからなり、内輪１０３はボルト挿通穴９６を有し、外輪１０４は下部円環部９２に嵌合される。
【００４２】
上記した下部取付部９１、ボルト６６の頭部６６ａ及びカラー９８の一部はゴム製の下部ブーツ１０６で覆われている。
下部ブーツ１０６は、下部取付部９１の付け根部９１ａに嵌められた付け根嵌合部１０６ａと、ボルト６６の頭部６６ａに当てられた頭部当て部１０６ｂと、カラー９８を避けるように開口する横開口部１０６ｃと、排水のために下部に開けられた下開口部１０６ｄとを備え、下部取付部９１を雨水やダスト等から保護するものである。雨水が下部ブーツ１０６内に入り込んだ場合には、下開口部１０６ｄから排出される。
図中の１０８はステアリングステム５７とヘッドパイプ６１との間に設けられた円すいころ軸受である。
【００４３】
ステアリングダンパ６３は、その軸線６３Ａが、ハンドル操舵角がゼロのときには、側面視でステアリングステム５７（及びヘッドパイプ６１）の軸線５７Ａに平行な直線１０９に対して角度βだけ傾斜している。即ち、軸線６３Ａは軸線５７Ａに対して角度βだけ傾斜している。
これは、前述したように、ステアリングダンパ６３の下部取付部９１を上部取付部７１よりも軸線５７Ａ側に寄せて配置したことによるものである。
【００４４】
このように、ステアリングダンパ６３の軸線６３Ａを軸線５７Ａに対して傾け、しかも、ハンドル操舵角がゼロのときに上部取付部７１側の取付面７８を側面視で軸線６３Ａに平行に形成することで、上部取付部７１の球面滑り軸受７３の揺動範囲をより大きくすることができる。なお、６５Ａはボルト６５の軸線、６６Ａはボルト６６の軸線である。
【００４５】
図６は本発明に係るステアリングダンパの断面図であり、ステアリングダンパ６３は、複数の筒からなるボディ１１１と、このボディ１１１に形成された第１シリンダ穴１１２に移動自在に挿入されたピストン１１３と、このピストン１１３に取付けられたピストンロッド１１４と、このピストンロッド１１４の先端に取付けられた上部取付部７１と、ピストンロッド１１４に滑り自在に嵌合するとともに第１シリンダ穴１１２の開口を塞ぐ第１シリンダ端部密封部１１６と、ボディ１１１に形成された第２シリンダ穴１１７に移動自在に挿入されたフリーピストン１１８と、第２シリンダ穴１１７の開口を塞ぐ第２シリンダ端部密封部１２１と、第１シリンダ穴１１２のピストン１１３の両側に形成された第１油室１２３と第２油室１２４とを連通する連通路１２６を流れる作動油の流量を調整することでステアリングダンパ６３の減衰力を変化させる流量調整機構１２７とからなり、ボディ１１１の下端に下部取付部９１が一体に形成されている。なお、１６１は第１シリンダ穴１１２と第２シリンダ穴１１７とを連通する連通孔、１６３，１６４はフリーピストン１１８の両側に形成された第１室及び第２室である。
上記の第１油室１２３、第２油室１２４、第１室１６３は作動油で満たされ、第２室１６４は空気で満たされている。
【００４６】
流量調整機構１２７は、連通路１２６を構成する上部連通孔１７４及び下部連通孔１７５のうちの下部連通孔１７５の上端に形成された流量調整孔１７６に進退するニードル１７７と、このニードル１７７の端部に連結された調整軸１７８と、この調整軸１７８を回転自在に支持するためにボディ１１１に取付けられた軸支持部材１８１と、調整軸１７８の一端にビス１８２で取付けられるとともに、スプリング１８３で押されたボール１８４が所定角度毎に周方向に形成された複数の窪み１８６に入り込むことで軸支持部材１８１に対して所定角度毎に停止可能な調整つまみ１８７とからなる。
【００４７】
ここで、１９１はニードル１７７に形成されたおねじ１７７ａをねじ結合するためにボディ１１１の下部縦穴１９２に形成されためねじ、１９３は軸支持部材１８１に形成されたおねじ１９４とねじ結合するためにボディ１１１の上部縦穴１９６に形成されためねじ、１９７は軸支持部材１８１の外周部に装着されたＯリング、１９８は軸支持部材１８１の内周部に装着されたＯリング、２０１は調整軸１７８から調整つまみ１８７が抜けないように止めておく止め輪である。
【００４８】
調整つまみ１８７を回せば、調整軸１７８を介してニードル１７７が回転するとともにめねじ１９１とこのめねじ１９１にねじ結合されたおねじ１７７ａによってニードル１７７が流量調整孔１７６に対して進退する。
【００４９】
流量調整孔１７６は雌テーパ形状の孔であり、ニードル１７７の先端は、流量調整穴１７６に嵌合する雄テーパ形状の部分である。
ニードル１７７の先端が流量調整孔１７６に進入すれば、作動油の通路断面積が小さくなり、作動油の流量が少なくなる。ニードル１７７の先端が流量調整孔１７６から退出すれば、作動油の通路断面積が大きくなり、作動油の流量が多くなる。
【００５０】
以上に述べたステアリングダンパ６３の誤組付け防止用突起の作用を次に説明する。
図７は本発明に係るステアリングダンパの誤組付け防止用突起の作用を示す作用図である。
例えば、誤ってステアリングダンパ６３の下部取付部９１をボルト６５でトップブリッジ５４に取付けた場合、突起８２にステアリングダンパ６３のボディ１１１の下部取付部９１に近い部分が当たるため、ステアリングダンパ６３がヘッドパイプ６１側にそれ以上傾かなくなる。即ち、ステアリングダンパ６３の軸線６３Ａの傾斜が、正しく組付けたときの軸線６３Ｂに対して角度γだけ小さくなる。
【００５１】
従って、ステアリングダンパ６３の上部取付部７１にボルト６６を通して、ボルト６６をヘッドパイプ６１のめねじ１０１にねじ込もうとしても、ボルト６６がめねじ１０１に届かず、これ以上組付けることが出来なくなる。
【００５２】
即ち、突起８２によって、ステアリングダンパ６３の下部支持部９１をトップブリッジ５４に取付けた場合、あるいは、上部取付部７１をヘッドパイプ６１に取付けた場合には、突起８２にボディ１１１が当たり、ステアリングダンパ６３のもう一方の取付部である上部取付部７１、あるいは下部支持部９１の取付けが出来なくなって、誤組付けを防止することができる。
【００５３】
図８は本発明に係るステアリングダンパの揺動した状態を示す作用図であり、ヘッドパイプ６１の下端側からステアリングダンパ６３及びトップブリッジ５４を見た底面図である。
図では、トップブリッジ５４が、想像線で示す操舵角ゼロの位置から、実線で示す操舵角θの位置まで回動し、これに伴って、ステアリングダンパ６３が下部取付部９１を中心にして揺動し、上部取付部７１が矢印で示すように円弧状に移動したことを示している。
【００５４】
図９（ａ）〜（ｄ）はステアリングダンパの両端部の取付位置と揺動姿勢を模式化して示す作用図であり、（ａ）は実施例（本実施形態）の側面図、（ｂ）は（ａ）の底面図、（ｃ）は比較例の側面図、（ｄ）は（ｃ）の底面図である。
（ａ）の実施例において、軸線５７Ａからステアリングダンパ６３の下部取付部９１（黒丸で示す。）までの距離をＲ１、軸線５７Ａからステアリングダンパ６３の上部取付部７１（白丸で示す。）までの距離をＲ２（Ｒ２＞Ｒ１）とし、上部取付部７１と下部取付部９１との距離、即ち、取付部間距離をＬ１とする。
【００５５】
（ｂ）の実施例において、操舵に伴って、ステアリングダンパ６３（ステアリングダンパ６３を太線で示した。以下同じ。）が下部取付部９１を中心にして矢印で示すように徐々に揺動し、上部取付部７１は操舵角θまで移動する。
【００５６】
（ｃ）の比較例において、ステアリングダンパ２０１は軸線５７Ａに平行であり、軸線５７Ａからステアリングダンパ２０１の上部取付部２０２（白丸で示す。）までの距離と、軸線５７Ａからステアリングダンパ２０１の下部取付部２０３（黒丸で示す。）までの距離とは等しく、共にＲ２である。
また、上部取付部２０２と下部取付部２０３との距離、即ち、取付部間距離をＬ２とする。
【００５７】
（ｄ）の比較例において、操舵に伴って、ステアリングダンパ２０１が下部取付部２０３を中心にして矢印で示すように徐々に揺動し、上部取付部２０１は操舵角θまで移動する。
【００５８】
図１０は本発明に係るステアリングダンパの操舵時の取付部間距離変化を示すグラフであり、縦軸はステアリングダンパの取付部間距離Ｌ、即ち、上部取付部と下部取付部との間の距離、横軸は操舵角θを示す。
例えば、図９（ａ）〜（ｄ）に示した距離Ｒ１を６０ｍｍ、距離Ｒ２を７５ｍｍ、実施例の取付部間距離Ｌ１を９０ｍｍ、比較例の取付部間距離Ｌ２を９０ｍｍ、最大の操舵角θｍａｘを４７°とすると、操舵角０〜θｍａｘ°での取付部間距離Ｌ（即ち、Ｌ１，Ｌ２）の変化は、実施例では実線、比較例では破線のように、操舵角θが増すにつれて大きくなり、比較例の取付部間距離Ｌ２が実施例の取付部間距離Ｌ１よりも常に大きくなる。
図示しないが、操舵角θがゼロ〜−θｍａｘ°での取付部間距離Ｌ（即ち、Ｌ１，Ｌ２）の変化も上記と同様になる。
【００５９】
グラフ中で、各操舵角θでの取付部間距離Ｌから９０ｍｍを引けば、縦軸は初期からのステアリングダンパのストローク量となり、実施例のストローク量が比較例のストローク量より常に小さくなるため、実施例のステアリングダンパの小型化を図ることができる。
【００６０】
以上の図１及び図４に示したように、本発明は第１に、車体側のヘッドパイプ６１に前輪を懸架するフロントフォーク１３を操舵自在に取付け、このフロントフォーク１３の左右を連結するトップブリッジ５４及びボトムブリッジ５６からなるフォークブリッジ５３とヘッドパイプ６１とに前輪側からバーハンドル１２に伝わる動きを減衰させるステアリングダンパ６３を取付けた車両１０において、ステアリングダンパ６３を、ヘッドパイプ６１とトップブリッジ５４とに取付けるとともにトップブリッジ５４とボトムブリッジ５６との間のトップブリッジ５４寄りに配置し、トップブリッジ５４とボトムブリッジ５６との間のボトムブリッジ５６寄りにライトユニット６８を配置したことを特徴とする。
【００６１】
これにより、ライトユニット６８がフロントフォーク１３の前部の低い位置に配置されて、ライトユニット６８の光軸６８Ａの前下がり角度、即ち照射角度αを小さくすることができ、路面の前後方向の照射範囲を広くすることができる。
【００６２】
また、ステアリングダンパ６３を、ヘッドパイプ６１とトップブリッジ５４とに取付けるとともにトップブリッジ５４とボトムブリッジ５６との間のトップブリッジ５４寄りに配置することで、ステアリングダンパ６３の回動に影響を受けずに、トップブリッジ５４とボトムブリッジ５６との間のボトムブリッジ５６寄りにライトユニット６８を容易に配置することができる。更に、車体前部上部の構造が簡素になって外観性を低下させることがなくステアリングダンパ６３を配置することができる。
【００６３】
本発明は第２に、図６及び図７に示したように、ステアリングダンパ６３を、シリンダとしての第１シリンダ穴１１２を備える本体としてのボディ１１１と、第１シリンダ穴１１２に移動自在に挿入されたピストン１１３と、このピストン１１３に取付けられたロッドとしてのピストンロッド１１４とから構成し、ボディ１１１の端部をヘッドパイプ６１に取付け、ピストンロッド１１４の端部をトップブリッジ５４に取付け、ボディ１１１に第１シリンダ穴１１２内に注入されたオイルの通路断面積を調整する調整つまみ１８７を上方から操作可能に設け、ボディ１１１をトップブリッジ５４に、あるいは、ピストンロッド１１４をヘッドパイプ６１に取付けたときにボディ１１１が当たって誤組付けを防止可能とする突起８２をトップブリッジ５４に設けたことを特徴とする。
【００６４】
これにより、突起８２によってステアリングダンパ６３の誤組付けを防止することで、ボディ１１１に設けられた調整つまみ１８７を常に上方に向けて操作しやすいようにステアリングダンパ６３を配置することができる。
【００６５】
本発明は第３に、図５に示したように、ピストンロッド１１４の端部をカラー７７を介してトップブリッジ５４に取付けたことを特徴とする。
これにより、ピストンロッド１１４からトップブリッジ５４に直接に力が作用しないため、トップブリッジ５４に硬度の小さな材料を用いても、トップブリッジ５４の摩耗を抑えることができる。
【００６６】
本発明は第４に、図４に示したように、ライトユニット６８の上方でステアリングダンパ６３の前方に競技の識別のための番号が記載されたゼッケンプレート１５を設けたことを特徴とする。
これにより、ゼッケンプレート１５でステアリングダンパ６３の前方を覆うことでステアリングダンパ６３を飛び石等から保護することができる。
【００６７】
本発明は第５に、図５に示したように、ステアリングダンパ６３のヘッドパイプ６１への取付部（下部取付部９１）及びトップブリッジ５４への取付部（上部取付部７１）を、雨水、ダスト等を侵入しにくくする下部ブーツ１０６、上部ブーツ８６でそれぞれ覆ったことを特徴とする。
【００６８】
これにより、上部ブーツ８６及び下部ブーツ１０６によって上記の揺動する上部取付部７１及び下部取付部９１に雨水、ダスト等が侵入しにくくなり、長期に亘って上部取付部７１及び下部取付部９１の揺動を円滑に維持することができる。
【００６９】
本発明は第６に、上部ブーツ８６及び下部ブーツ１０６に、水抜き用の開口としての開口部８６ｃ、下開口部１０６ｄをそれぞれ備えることを特徴とする。
これにより、上部ブーツ８６及び下部ブーツ１０６内に入り込んだ水は水抜き用の開口部８６ｃ、下開口部１０６ｄから排出され、上部ブーツ８６内及び下部ブーツ１０６内に水が溜まる心配がない。
【産業上の利用可能性】
【００７０】
本発明の車両のステアリングダンパは、二輪車に好適である。
【図面の簡単な説明】
【００７１】
【図１】本発明に係るステアリングダンパを備えた車両の前部斜視図である。
【図２】本発明に係る車両の前部を示す説明図である。
【図３】本発明に係る車両の前部を示す斜視図である。
【図４】本発明に係る車両の前部を示す側面図である。
【図５】本発明に係るステアリングダンパの取付構造を示す断面図である。
【図６】本発明に係るステアリングダンパの断面図である。
【図７】本発明に係るステアリングダンパの誤組付け防止用突起の作用を示す作用図である。
【図８】本発明に係るステアリングダンパの揺動状態を示す作用図である。
【図９】ステアリングダンパの両端部の取付位置と揺動姿勢を模式化して示す作用図である。
【図１０】本発明に係るステアリングダンパの操舵時の取付部間距離変化を示すグラフである。
【符号の説明】
【００７２】
１０…車両、１２…ハンドル（バーハンドル）、１３…フロントフォーク、１５…ゼッケンプレート、５３…フォークブリッジ、５４…トップブリッジ、５６…ボトムブリッジ、６１…ヘッドパイプ、６３…ステアリングダンパ、６８…ライトユニット、７１…トップブリッジへの取付部（上部取付部）、７７…カラー、８２…突起、８６，１０６…ブーツ（上部ブーツ、下部ブーツ）、８６ｃ，１０６ｄ…開口（開口部、下開口部）、９１…ヘッドパイプへの取付部（下部取付部）、１１１…本体（ボディ）、１１２…シリンダ（第１シリンダ穴）、１１３…ピストン、１１４…ロッド（ピストンロッド）。
【図１】
2008056033.tif 000003
【図２】
2008056033.tif 000004
【図３】
2008056033.tif 000005
【図４】
2008056033.tif 000006
【図５】
2008056033.tif 000007
【図６】
2008056033.tif 000008
【図７】
2008056033.tif 000009
【図８】
2008056033.tif 000010
【図９】
2008056033.tif 000011
【図１０】
2008056033.tif 000012
【手続補正書】
【提出日】平成19年6月22日(2007.6.22)
【手続補正１】
【補正対象書類名】明細書
【補正対象項目名】００３６
【補正方法】変更
【補正の内容】
【００３６】
図５は本発明に係るステアリングダンパの取付構造を示す断面図（一部側面図）であり、トップブリッジ５４に取付けられたステアリングダンパ６３の上部取付部７１は、上部円環部７２と、この上部円環部７２に嵌合された球面滑り軸受７３と、この球面滑り軸受７３を上部円環部７２に固定するスナップリング７４とからなり、球面滑り軸受７３に形成されたボルト挿通孔７６に通されたボルト６５でカラー７７を介してトップブリッジ５４に形成された上部取付部７８に取付けられる。なお、７９は上部取付部７８の端部に形成された取付面、８１はボルト６５をねじ込むために上部取付部７８に形成されためねじ、８２はステアリングダンパ６３の誤組付けを防止するために上部取付部７８の端部下部に形成された突起（詳細は後述する。）である。
【手続補正２】
【補正対象書類名】明細書
【補正対象項目名】００４０
【補正方法】変更
【補正の内容】
【００４０】
ヘッドパイプ６１に取付けられたステアリングダンパ６３の下部取付部９１は、下部円環部９２と、この下部円環部９２に嵌合された球面滑り軸受９３と、この球面滑り軸受９３を下部円環部９２に固定するスナップリング９４とからなり、球面滑り軸受９３に形成されたボルト挿通孔９６に通されたボルト６６でヘッドパイプ６１に形成された下部取付部９７にカラー９８を介して取付けられる。なお、１０１はボルト６６をねじ込むために下部取付部９７に形成されためねじ、１０２は下部取付部９７に形成された取付面である。
【手続補正３】
【補正対象書類名】明細書
【補正対象項目名】００４４
【補正方法】変更
【補正の内容】
【００４４】
このように、ステアリングダンパ６３の軸線６３Ａを軸線５７Ａに対して傾け、しかも、ハンドル操舵角がゼロのときに上部取付部７１側の取付面７９を側面視で軸線６３Ａに平行に形成することで、上部取付部７１の球面滑り軸受７３の揺動範囲をより大きくすることができる。なお、６５Ａはボルト６５の軸線、６６Ａはボルト６６の軸線である。
【手続補正４】
【補正対象書類名】明細書
【補正対象項目名】００５２
【補正方法】変更
【補正の内容】
【００５２】
即ち、突起８２によって、ステアリングダンパ６３の下部取付部９１をトップブリッジ５４に取付けた場合、あるいは、上部取付部７１をヘッドパイプ６１に取付けた場合には、突起８２にボディ１１１が当たり、ステアリングダンパ６３のもう一方の取付部である上部取付部７１、あるいは下部取付部９１の取付けが出来なくなって、誤組付けを防止することができる。
【手続補正５】
【補正対象書類名】明細書
【補正対象項目名】００５７
【補正方法】変更
【補正の内容】
【００５７】
（ｄ）の比較例において、操舵に伴って、ステアリングダンパ２０１が下部取付部２０３を中心にして矢印で示すように徐々に揺動し、上部取付部２０２は操舵角θまで移動する。